(57)【要約】      （修正有）【課題】野菜等植物の品種それぞれについての好ましい畝幅と株間と畝丈または播種距離間隔等を素速く決定するための植栽用距離間隔測定具を供すること。【解決手段】板や帯や棒またはシート状体に、植物ごとの栽培に効果的な畝幅や株間等の距離間隔に関する複数の耕作データを、表示部の表面に実際の寸法として所定の方法で記載してなり、表示の方法が実際の寸法を、表示部の表面に一定区間の点や線による区切り又は帯状の長さとして表し、表示部の長手方向に順次表示の端部をずらしながら広げて記載してあることを特徴とする植栽用距離間隔測定具18を供する。前記植栽用距離間隔測定具18の特定の位置を示すための特定位置表示部7を表示位置変更可能に取り付け測定位置が一瞬で確認できる様にした。【選択図】      図８
2005318885.tif 000002
【特許請求の範囲】
【請求項１】
植物ごとの栽培に効果的な畝幅や株間等の距離間隔に関する複数の耕作データを、表示部の表面に実際の寸法として所定の方法で記載してなり、表示の方法が実際の寸法を、表示部の表面に一定区間の点や線による区切り又は帯状の長さとして表し、表示部の長手方向に順次表示の端部をずらしながら広げて記載してなることを特徴とする植栽用距離間隔測定具。
【請求項２】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に向かって順次外に広げて記載した植栽用距離間隔測定具において、前記板や帯または棒を前記農耕データの長さに切断し、該切断した前記板や帯または棒を前記農耕データの項目ごとに分類して連結や結束または容器に入れる等の方法でまとめ、必要に応じて取り出し可能としたことを特徴とする植栽用距離間隔測定具。
【請求項３】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に向かって順次外に広げて記載した植栽用距離間隔測定具において、表示部が布や網である布状体上又はシート状体上またはすだれ状体上に並べて記載し、該布状体又はシート状体またはすだれ状体を巻き取るか折りたたむかしてまとめてあり、該布状体又はシート状体またはすだれ状体を巻き戻すか、開く位置を変えることで必要とする前記表示の一部を選択して表示できる様にしたことを特徴とする植栽用距離間隔測定具。
【請求項４】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法で表示部の表面を一定区間の点や線又は帯状の長さで区切ることで表し、特定のデータを表す区切りを長手方向に繰り返し連続して表示し、他のデータについての区切りを横に複数列並べて表示したことを特徴とする植栽用距離間隔測定具。
【請求項５】
板や帯や棒またはシート状体に植物ごとの栽培に効果的な畝幅や株間等の距離間隔に関する複数の耕作データを表示部の表面に実際の寸法として所定の方法で記載した植栽用距離間隔測定具であって、該植栽用距離間隔測定具上の測定に関する特定の位置を示すための特定位置表示部を表示位置変更可能に取り付けたことを特徴とする植栽用距離間隔測定具。
【発明の詳細な説明】
【技術分野】
【０００１】
本発明は、植物の栽培に効果的な畝幅や株間等の距離間隔を表示した植栽用距離間隔測定具に関するものである。
【背景技術】
【０００２】
従来より、農作業に於ける畝幅や株間の距離間隔等の決定にあたっては、その距離間隔を揃えるために紐に結び目をつけたものなどを簡易尺度計として用いてきた。しかし、趣味の野菜栽培等では、思いつきや根拠の薄い勘で決定するかその都度本で調べて長さを計測する等の面倒な手順を踏む者が多かった。耕作の確実性と簡便性を図るため、目盛りのついた物差しに各植物ごとの最適な株間や畝幅などの距離間隔が記載されてたものが市販されているが、その都度目盛りを読んで長さを測ることには違い無く、面倒な作業を強いられてきた。
【０００３】
【特許文献１】特開２００３−８８２１０    特開２００３−８８２１０に記載された発明は、伸縮自在な長尺体の長手方向に対して、該長尺体を伸ばした時に作業位置を示す複数の第１の指標が所定位置に付されていることを特徴とする作業位置出し具であって、該第１の指標が作物の植え付け位置や、」施工作業の位置を示すとされている。また、第１の指標の複数個分の寸法ごとに第２の寸法を記載するとされている。この場合、記載された第１の指標が表す距離間隔の複数倍の距離間隔を素速く割り出すには効果的といえるものの、数多くある野菜類の品種のそれぞれについての畝幅や株間の距離間隔を素速く決定するには不都合といえる。
【０００４】
【特許文献２】特開２００３−１７４８０１   特開２００３−１７４８０１に記載された発明は「長尺な本体に複数の植え付け作物の各々の適正な畦幅、株間、条間、及び畦高の植え付けデータの一つ又は、複数を零位置を一致させて実物大寸法にて表示してなることを特徴とする作物メジャー。」である。実物大寸法で表示したことは使い勝手がよく、実用性が高いのであるが、「複数の耕作用データを零位置を一致させて」という表現に現れている様に、端から物差しのように計測するという発想は従前通りであり、広い面積中にはっきりとは形の定まらない畝を形成する等の農耕作業には最適とは言えない。
【０００５】
又、物差しをあてがって端部よりの長さを測るという作業は机上の作業では比較的能率的といえるものの、畑での大きな計測誤差が認められる農耕の作業では、板や帯や棒等の素材上に、項目ごとに色分け等によって大きく区分された表示が中央部に記載されている方が一瞬で必要な長さが読みとれて効果的と言える。耕作用の物差しは、計測の方法が目印によって直感的に決定するための用具としての測定具であって欲しい。
【発明の開示】
【発明が解決しようとする課題】
【０００６】
野菜等植物の品種それぞれについての好ましい条幅や畝幅や株間または畝丈等を素速く決定するための植栽用距離間隔測定具を供すること。
【課題を解決するための手段】
【０００７】
植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に順次表示の端部をずらしながら広げて記載し、前記複数ある耕作データの一つの表示の端部が他の耕作データの表示の端部と重ならないようにずらして表示してあることを特徴とする植栽用距離間隔測定具を供する。
【０００８】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に向かって順次外に広げて記載した植栽用距離間隔測定具において、前記板や帯または棒を前記農耕データの長さに切断し、該切断した前記板や帯または棒を前記農耕データの項目ごとに分類して連結や結束または容器に入れる等の方法でまとめ、必要に応じて取り出し可能としたことを特徴とする植栽用距離間隔測定具を供する。
【０００９】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に向かって順次外に広げて記載した植栽用距離間隔測定具において、表示部が布や網である布状体上又はシート状体上またはすだれ状体上に並べて記載し、該布状体又はシート状体またはすだれ状体を巻き取るか折りたたむかしてまとめてあり、該布状体又はシート状体またはすだれ状体を巻き戻すか、開く位置を変えることで必要とする前記表示の一部を選択して表示できる様にしたことを特徴とする植栽用距離間隔測定具を供する。
【００１０】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法で表示部の表面を一定区間の点や線又は帯状の長さで区切ることで表し、特定のデータを表す区切りを長手方向に繰り返し連続して表示し、他のデータについての区切りを横に複数列並べて表示したことを特徴とする植栽用距離間隔測定具を供する。
【００１１】
板や帯や棒またはシート状体に植物ごとの栽培に効果的な畝幅や株間等の距離間隔に関する複数の耕作データを表示部の表面に実際の寸法として所定の方法で記載した植栽用距離間隔測定具であって、該植栽用距離間隔測定具上の測定に関する特定の位置を示すための特定位置表示部を表示位置変更可能に取り付けたことを特徴とする植栽用距離間隔測定具を供する。
【発明の効果】
【００１２】
植物ごとの栽培に効果的な畝幅や株間等の距離間隔に関する複数の耕作データを、表示部の表面に実際の寸法として所定の方法で記載してなり、表示の方法が実際の寸法を、表示部の表面に一定区間の点や線による区切り又は帯状の長さとして表し、表示部の長手方向に順次表示の端部をずらしながら広げて記載してなることを特徴とする植栽用距離間隔測定具であるため次の効果を奏する。
【００１３】
表示の方法が実際の寸法を、表示部の表面に一定区間の点や線による区切り又は帯状の長さとして表し、表示部の長手方向に順次表示の端部をずらしながら広げて記載してあるため、求める長さが直感的に瞬時に把握でき、作業の効率化が図れる。特にそれぞれのデータを前記植栽用距離間隔測定具の中央部に寄せて表記した場合、特に効果を発揮する。
【００１４】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に向かって順次外に広げて記載した植栽用距離間隔測定具において、前記板や帯または棒を前記農耕データの長さに切断し、該切断した前記板や帯または棒を前記農耕データの項目ごとに分類して連結や結束または容器に入れる等の方法でまとめ、必要に応じて取り出し可能としたことを特徴とする植栽用距離間隔測定具であるため次の効果を奏する。
【００１５】
板や帯または棒を前記農耕データの長さに切断し、必要に応じて取り出し可能としたため、測定場所にあてがって計測することが可能になり、極めて効率的な測定が可能となる。
【００１６】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法を、表示部の表面に一定区間の点や線による区切り又は帯状の長さとして表し、表示部の長手方向に向かって順次外に広げて記載した植栽用距離間隔測定具において、表示部が布や網である布状体上又はシート状体上またはすだれ状体上に並べて記載し、該布状体又はシート状体またはすだれ状体を巻き取るか折りたたむかしてまとめてあり、該布状体又はシート状体またはすだれ状体を巻き戻すか、開く位置を変えることで必要とする前記表示の一部を選択して表示できる様にしたことを特徴とする植栽用距離間隔測定具であるため次の効果を奏する。
【００１７】
表記の方法が布状体上又はシート状体上またはすだれ状体上に並べて記載したものであるため、印刷等により記載内容をほぼ無制限に増やすことができデータ当たりのコストを低くすると共に、巻き戻す等によって次々に新しいデータを表示することができる。
【００１８】
板や帯や棒またはシート状体に植物ごとの栽培に効果的な畝幅や株間等の距離間隔に関する複数の耕作データを表示部の表面に実際の寸法として所定の方法で記載してなり、表示の方法が実際の寸法で表示部の表面を一定区間の点や線又は帯状の長さで区切ることで表し、特定のデータを表す区切りを長手方向に繰り返し連続して表示し、他のデータについての区切りを横に複数列並べて表示したことを特徴とする植栽用距離間隔測定具であるため次の効果を奏する。
【００１９】
特定の作物についての必要データを一つの表示部にまとめて表示でき、該植栽用距離間隔測定具をあてがって測定することで、該植栽用距離間隔測定具を移動することなく次々と印を付ける等の測定作業を進めることができ、作業効率を高めることができる。
【００２０】
板や帯や棒またはシート状体に植物ごとの栽培に効果的な畝幅や株間等の距離間隔に関する複数の耕作データを表示部の表面に実際の寸法として所定の方法で記載した植栽用距離間隔測定具であって、該植栽用距離間隔測定具上の測定に関する特定の位置を示すための特定位置表示部を表示位置変更可能に取り付けたことを特徴とする植栽用距離間隔測定具であるため次の効果を奏する。
【００２１】
一つの表示部上に多数の耕作データが隙間無く記載されている様な場合であっても、前記特定位置表示部を必要なデータの示す位置に合わせて固定することで、必要なデータの示す間隔距離が瞬時に把握できる様になり、作業の効率を高めることができる。
【発明を実施するための最良の形態】
【００２２】
野菜等植物の品種それぞれについての好ましい畝幅や株間や条間または播種距離間隔あるいは畝高等を素速く決定するための植栽用距離間隔測定具を単純な構成で実現可能とした。以降、実施の形態について図を用いて説明する。なお、本願で言う株間とは一列に植栽された植物と植物の間隔であり、条間とは並んで植えられた植物の列と列の間隔、また、畝とは植栽のために盛り上げた土の列を言い、畝幅とは畝と畝との間の中心から隣の畝と畝との間の中心までを言うものとする。畝高は盛り上げた土の高さである。
【００２３】
また、本願では、植栽用距離間隔測定具の長さにもよるが、植物によっては短い計測具では実際の長さが表示できないため、前記植栽用距離間隔測定具の長さプラス表示の長さあるいは植栽用距離間隔測定具の長さ複数分プラス表示の長さとて表記したものも実際の長さで表したものとする。また、図は概念を説明するものであって、実際のデータを意味しないものとする。本願に於ける角柱の角の数は任意の数であるが、図を元にした説明では、便宜上、角柱の角の数を３または４、多角柱の角の数は５以上としている。図に基づいた実施例の説明に於いて、帯と棒を用いた構成についての説明が省略してあるが、帯と棒を用いた構成は板状の表示部を帯状又は棒状に置きかえたものとする。
【実施例１】
【００２４】
図１は実施例１の斜視図である。植栽用距離間隔測定具本体Ａ１１（１）を構成する外形構成体１００が角柱１０１であって表示部２が該角柱１０１の側面に形成され、該側面のそれぞれを表示部Ａ・２１（２）、表示部Ｂ・２２（２）、表示部Ｃ・２３（２）とする。前記角柱１０１の角の数は任意に設定可能であるが１０角形以内とするのが実用的である。表示部Ａ２１には植物ごとの栽培に効果的な畝幅や株間等の距離間隔に関する複数項目の内の一つの項目に関する複数の耕作データを実際と同一の寸法で表示する。前記データの項目は作物の株間に関するデータ表示３であって、データ表示Ａ３１・データ表示Ｂ３２・データ表示Ｃ３３・データ表示Ｄ３４は人参・玉葱・馬鈴薯・レタス等の植物名を表すものである。
【００２５】
前記、距離間隔のデータは区切りを示す点や線、あるいは帯状の長さの表示であって、複数ある耕作データの一つの表示の端部が他の耕作データの表示の端部と重ならないように中央よりにずらしながら表記するか、あるいは中央部から順次外に広がる様に表記される。このことにより、該棒状である植栽用距離間隔測定具を手に持った時にデータが一瞬で読みとれ、作業の効率化が図れる。表示部Ｂ２２と表示部Ｃ２３には表示部Ａ２１に表記されなかった他の項目が表記される。
【実施例２】
【００２６】
図２は実施例２の斜視図である。特定の植物に関する耕作データを表示した植栽用距離間隔測定具であって、データ表示Ａ３１・データ表示Ｂ３２・データ表示Ｃ３３として株間、条間、畝幅等の耕作に効果的な距離間隔を表記したものである。本実施例では特定の植物に関するデータを表示するため、耕作する特定の植物に対し一つの表示部を見るだけで用が済み、単純な構成であるため読み取りの間違いが起こらない。なお、表示部を上下に分割し、表示するデータ量を増やすことができる。
【００２７】
図では表示部２が角柱状の筒１０２の側面に入れ替え可能に設けられる。該角柱状の筒側面に於ける表示部Ａ２１（２）の上下には連結・固定部４である挟持部４１が設けられ、表示部Ａ２１（２）を挟持する。筒の内部には表示部Ｂ２２（２）や表示部Ｃ２３（２）等他の植物に関するデータが表示された他の表示部が収納され、蓋５で塞がれる。該蓋５は、握り部６を兼ね、両端に握り部６設けられている。握り部６が設けられているとデータの表示部を手で隠すことが無く、測定がし易い。
【００２８】
又、植栽用距離間隔測定具の本体Ｂ１２（１）の外形構成体１００は角柱状の筒１０２であって角数を増やして多角形の筒にできる点、データは植物ごとに板の半面に表示され一面に二つの植物が記載される点、前記角柱状の筒１０２には交換可能な表示部が収納できる点、該表示部は裏面にもデーターが記載される点から多数のデータを記載することが可能である。多数の表示部の中から必要とする植物のデータ表示を選び出して作業に使用し、終了後前記筒内に返すということができる。ある植物と他の植物との耕作データが重複する場合には前記特定の植物は複数の植物を指すものとする。
【実施例３】
【００２９】
図３は実施例３の斜視図である。植栽用距離間隔測定具の本体Ｃ１３（１）の外形構成体は角柱状の箱１０３であって、該箱の側面に窓１１０を設けるか、箱の一部あるいは全面を透明にし、内部の表示部２に記載されたデータ表示３を読みとれる様にする。表示部２は実施例２と同様に、特定の植物に関する耕作に関するデータを表示した植栽用距離間隔測定具であって、該データは板に表示され、前記角柱状の箱１０３に入れられる。
【００３０】
複数ある表示部２は並べ替え可能であり、必要に応じ、例えば、栽培する野菜の種類を選び出して表示部２を入れ替える。角柱状の箱１０３の底部には連結・固定部４として突起部４２（４）が設けられ、表示部２の下部中央には凹部４３（４）が形成され、嵌合することで寸法の異なる表示部２を前記角柱状の箱１０３の中央部に揃えている。各表示部２の両側端に余白を設けてその長さを揃えた場合には前記連結・固定部４の必要はなくなる。
【実施例４】
【００３１】
図４は実施例４の斜視図である。植栽用距離間隔測定具の本体Ｄ１４（１）の外形構成体１００は板の集合体１０４とする。表示部２は実施例２・３と同様に、特定の植物に関する耕作に関するデータ３を表示した板を多数集合させた植栽用距離間隔測定具である。前記データ３を表示した板は連結・固定部４としての紐４４又はリングでくくられている。図では表示部Ａ２１（２）ないし表示部Ｅ２５（２）を紐でくくってあるが、必要に応じ何枚でも枚数を増やすことができ、構成が単純でコストを低く抑えることができる。
【実施例５】
【００３２】
図５は実施例５の斜視図である。植栽用距離間隔測定具の本体Ｅ１５（１）の外形構成体は多角柱１０５であり、表示部２は実施例２ないし４と同様に、特定の植物に関する耕作に関するデータ３を表示した植栽用距離間隔測定具であって、該データ表示３は多角形柱の側面に表示されている。多角柱であって表示面が多いため、データの入れ替え等の手数が省けることや、表示部２の一部を紛失する、あるいは表示部２の一部を破損するという様なことも生じ得ないという効果が得られる。使用頻度の高い植物を選んで表示するが、角柱の角の数は１０以内が実用的であり、植物の数もこれに規定される。多数の植物について表示する場合には前記多角柱の数を増やして組物とする。
【実施例６】
【００３３】
図６は実施例６の斜視図である。植栽用距離間隔測定具の本体Ｆ１６（１）の外形構成体１００は板状の表示部２がその側面で連結された板の集合体Ｂ１０６である。前記表示部２が連結・固定部４としての曲折部４５で連結され、屏風状に折りたたんで収納される。使用にあたっては必要箇所を開き、そのままの状態あるいは固定具で固定して用いる。実施例５に於ける角柱の側面に表示部２を形成した物と同様に複数のデータ表示が一つに連結されており、表示部の一部のみを紛失するという心配がない。又、必要に応じ、ほぼ無制限にデータ表示の数を増やすことができる。
【実施例７】
【００３４】
図７は実施例７の斜視図である。植栽用距離間隔測定具の本体Ｇ１７（１）はシート状の表示部２が連続した物であって、つまり、シート状体に栽培に効果的な畝幅や株間等の距離間隔に関する複数の耕作データを印刷等により表示して表示部２を形成し、巻いた状態で外形構成体１００である筒状の容器１０７（１００）の内部に納めた物である。該筒状の容器１０７には窓１１０を設けるか筒状の容器１０７を透明な素材によって構成し、データの読み取りを可能にする。表示部２がシート状体であるため、データ量を増やしても体積の増加は僅かであり、ほぼ無限にデータ量を増やせる。又そのことによる経費の増加も僅かですむ。
【実施例８】
【００３５】
図８は実施例８の斜視図である。植栽用距離間隔測定具の本体Ｈ１８（１）の外形構成体１００は柱状体Ｂ１０８であって、前記柱の側面には複数のデータが記載された表示部２を形成する。スライド式の特定位置表示部７が前記柱状体Ｂ１０８と嵌合する形で設けられ、表示位置変更可能に取り付けられる。特定位置表示部７が前記柱状体Ｂ１０８（１００）の側面をスライドし、複数あるデータの特定の位置で固定することによって、必要とする距離間隔に関するデータを一瞬で読みとれる様にできる。表示部の表示が読みとり難いものであっても一旦特定位置表示部７を合わせてしまえば、後は瞬時に作業を進めることができる。株間の測定等繰り返し測定する必要のある作業では極めて効率的と言える。  
【００３６】
本図では特定位置表示部７が環状部７１と突起体７２によって構成される。環状部７１が柱状体側面をスライドすることから位置の決定が容易であり、突起体７２を地面に刺すなどして印を付け、作業を容易にできる。環状部７１には読み取り窓７３を設けて目盛りを合わせ易くする。本図では特定位置表示部７が柱状体Ｂ１０８側面をスライドして位置を合わせるが、特定の位置を明示することができればどのような方法であっても同様の効果が得られる。例えば、柱状体の側面にピンを刺すことで位置・距離間隔を明示し、該指したピンの位置を移し替えることで様々なデータを表示することが可能である。
【実施例９】
【００３７】
図９は実施例９の斜視図であり、表示部２の一例である表示部Ｆ２６の構成を示した物である。本実施例は特定の植物２００に関するデータを表示したものであり、該植物Ａ２０１が小松菜であり、同一のデータを長手方向に連続して表記した例を示している。データ表示Ｌ３１１は株間を示し、特定の植物Ａ２０１（小松菜）の栽培に効果的な株間の間隔であるデータ表示Ｌ３１１が連続して表記されている。
【００３８】
又、同様に特定の植物Ａ２０１（小松菜）の条間の間隔であるデータ表示Ｍ３２１が連続して表記されている。このように、特定の植物に関するデータを長手方向に連続して表記することにより、一度表示部をあてがうだけで、次々と計測ができ、効率的である。特定の植物についてのデータのみが単純な構成で表記してあるため、目盛りの読みとりに労することなく一瞬で位置の決定ができる。特定の植物Ａ２０１（小松菜）の畝幅の間隔であるデータ表示Ｎ３３１は該植栽用距離間隔測定具の全長の長さをもってしても不足するためデータの数値から前記植栽用距離間隔測定具の全長の長さを引いたところの、数値Ｎを実際の長さで表している。
【実施例１０】
【００３９】
図１０は実施例１０の斜視図であり、表示部２の一例である表示部Ｇ２７の構成を示したものである。特定の植物Ｂ２０２が大豆であり、該大豆の栽培の距離間隔に関するデータ以外のデータ表示Ｘ３４１として播種・収穫等の作業時期に関するデータ、あるいはデータ表示Ｙ３５１として土の酸性度や連作障害の有無、又は施肥等、植栽の条件に関するデータを距離間隔に関するデータと併記した植栽用距離間隔測定具である。植栽用距離間隔測定具の表示部２に植栽に関する間隔距離だけでなく、特定の植物の栽培に関する必要なデータの要点をまとめて併記しておくことにより、作業の流れが確認でき、植物栽培の作業をより効率的に行うことができる。
【図面の簡単な説明】
【００４０】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【図７】実施例７の斜視図である。
【図８】実施例８の斜視図である。
【図９】実施例９の斜視図である。
【図１０】実施例１０の斜視図である。
【符号の説明】
【００４１】
１  植栽用距離間隔測定具本体
１１  植栽用距離間隔測定具本体Ａ
１２  植栽用距離間隔測定具本体Ｂ
１３  植栽用距離間隔測定具本体Ｃ
１４  植栽用距離間隔測定具本体Ｄ
１５  植栽用距離間隔測定具本体Ｅ
１６  植栽用距離間隔測定具本体Ｆ
１７  植栽用距離間隔測定具本体Ｇ
１８  植栽用距離間隔測定具本体Ｈ
１００  外形構成体
１０１  角柱
１０２  角柱状の筒
１０３  角柱状の箱
１０４  板の集合体
１０５  多角柱
１０６  板の集合体Ｂ
１０７  筒状の容器
１０８  柱状体Ｂ
１１０  窓
２  表示部
２１  表示部Ａ
２２  表示部Ｂ
２３  表示部Ｃ
２４  表示部Ｄ
２５  表示部Ｅ
２６  表示部Ｆ
２７  表示部Ｇ
２００  特定の植物
２０１  特定の植物Ａ（小松菜）
２０２  特定の植物Ｂ（大豆）
３  データ表示
３１  データ表示Ａ
３２  データ表示Ｂ
３３  データ表示Ｃ
３４  データ表示Ｄ
３５  データ表示Ｅ
３６  データ表示Ｆ
３１１  データ表示Ｌ（株間）
３２１  データ表示Ｍ（条間）
３３１  データ表示Ｎ（畝幅）
３４１  データ表示Ｘ（作業時期）
３５１  データ表示Ｙ（植栽条件）
４  連結・固定部
４１  挟持部
４２  突起部
４３  凹部
４４  紐
４５  曲折部
５  蓋
６  握り部
７  特定位置表示部
７１  環状部
７２  突起体
７３  読み取り窓
【図１】
2005318885.tif 000003
【図２】
2005318885.tif 000004
【図３】
2005318885.tif 000005
【図４】
2005318885.tif 000006
【図５】
2005318885.tif 000007
【図６】
2005318885.tif 000008
【図７】
2005318885.tif 000009
【図８】
2005318885.tif 000010
【図９】
2005318885.tif 000011
【図１０】
2005318885.tif 000012